(57)【要約】【課題】金型から排出される冷却水の流動状態が目視で確認できるようにして製品不良の発生が未然に防止できるようにする。【解決手段】金型（１）に冷却水を供給する供給ホース（５）、または金型（１）から冷却水を排出する排出ホース（６）のうちの一方に、透視性の筒体（８）を直列に接続し、該筒体（８）内に螺旋状に捩じった検出羽根（９）を前記筒体（８）の軸心を中心として回転可能に収容する。また、検出羽根（９）は、長方形状の板材を長手方向の軸を中心として螺旋状に捩じり、該板材の長手方向両端部にその幅方向中心部から長手方向外方に突出する係止片（９ｂ）を設ける。【選択図】図２
2005221278.tif 000002
【特許請求の範囲】
【請求項１】
金型（１）に冷却水を供給する供給ホース（５）、または金型（１）から冷却水を排出する排出ホース（６）のうちの一方に、透視性の筒体（８）を直列に接続し、該筒体（８）内に螺旋状に捩じった検出羽根（９）を前記筒体（８）の軸心を中心として回転可能に収容したことを特徴とする金型冷却水の流動検知器。
【請求項２】
検出羽根（９）は、長方形状の板材を長手方向の軸を中心として螺旋状に捩じり、該板材の長手方向両端部にその幅方向中心部から長手方向外方に突出する係止片（９ｂ）を設けたことを特徴とする請求項１記載の金型冷却水の流動検知器。
【請求項３】
検出羽根（９）の一方の面と他方の面とを異なった色彩にしたことを特徴とする請求項１又は２記載の金型冷却水の流動検知器。
【請求項４】
供給ホース（５）、または排出ホース（６）のうちの一方に流量を調節する流量調節弁（Ｖ）を設けたことを特徴とする請求項１，２又は３記載の金型冷却水の流動検知器。
【発明の詳細な説明】
【技術分野】
【０００１】
本発明は、金型を冷却する冷却水の流動状態を検知する検知器に関するものである。
【背景技術】
【０００２】
従来の技術として、金型の冷却穴内に高圧冷却水の通水を行い、その後低圧冷却水の通水を開始するようにしたもの、あるいは、金型温度を温度センサーにより検知して該金型に供給する冷却水の流量を調節するようにしたものがあった。
【特許文献１】特開２００３−１６４９５７号公報。
【発明の開示】
【発明が解決しようとする課題】
【０００３】
一般に、金型内には多数の冷却水路が形成され、各冷却水路に冷却水を流通させることによって金型温度を適正に制御するようにしている。ところで、従来は金型の冷却水路に供給する冷却水の圧力を変えたり、金型の温度を検知して各冷却水路を流通する冷却水の流量を制御したりしていたため、何らかの原因で一部の冷却水路が目詰まりしてこの部に流通する冷却水が設定値よりも減少したり、あるいは停止したりした際に、これを確認することができず、製品不良が発生し易いものであった。本発明は冷却水の流動状態を検知する検知器を設けることによって上記不具合を解消した新規な金型冷却水の流動検知器を得ることを目的とする。
【課題を解決するための手段】
【０００４】
本発明は、上記目的を達成するために以下の如く構成したものである。即ち、請求項１に係る発明は、金型に冷却水を供給する供給ホース、または金型から冷却水を排出する排出ホースのうちの一方に、透視性の筒体を直列に接続し、該筒体内に螺旋状に捩じった検出羽根を前記筒体の軸心を中心として回転可能に収容する構成にしたものである。
請求項２に係る発明は、前記検出羽根を、長方形状の板材を長手方向の軸を中心として螺旋状に捩じり、該板材の長手方向両端部にその幅方向中心部から長手方向外方に突出する係止片を設ける構成にしたものである。
請求項３に係る発明は、前記検出羽根の一方の面と他方の面とを異なった色彩にしたものである。
請求項４に係る発明は、前記供給ホース、または排出ホースのうちの一方に流量を調節する流量調節弁を設けるようにしたものである。
【発明の効果】
【０００５】
請求項１に係る発明は、金型に供給、又は金型から排出される冷却水のホース内に冷却水が流通すると、この冷却水の流動運動によって検出羽根が回転されることになる。また、上記ホース内の冷却水が停止すると、上記検出羽根の回転が停止されることになる。そして、上記検出羽根の回転状態、あるいは停止状態が透視性の筒体を介して外部から目視によって確認することができる。これにより、冷却水の流通状態、つまり、金型の冷却状態が正常であるか、異常であるかを容易に知ることができ、製品不良の発生を未然に防止するための対策が迅速に行えることになる。
請求項２に係る発明は、前記検出羽根を単純な形状の板材により形成したので、安価に得ることができる。
請求項３に係る発明は、前記検出羽根の一方の面と他方の面とを異なった色彩にしたので、該検出羽根の回転状態を容易に確認することができる。
請求項４に係る発明は、検出羽根の回転の速さを目視で確認しながら、流量調節弁を調節することによって金型内を流動する冷却水の流動量を調節し、金型温度を調節することができる。
【発明を実施するための最良の形態】
【０００６】
以下本発明の実施例を図面に基いて説明する。図面において、図１は本発明の実施例を示す側面図、図２は図１の要部拡大断面図である。図１において、１はアルミニウム合金製のオートバイ部品、自動車部品等を成型するアルミダイカストの金型であり、該金型１内には多数の冷却水路２（２ａ，２ｂ，２ｃ・・・）が形成され、その上部に供給ホース接続塔３、排出ホース接続塔４が起立固定されている。
【０００７】
上記供給ホース接続塔３に多数の供給ホース５（５ａ，５ｂ，５ｃ・・・）が集合して接続され、これら各供給ホース５は上記金型１内の各冷却水路２（２ａ，２ｂ，２ｃ・・・）の上流側に個別に接続されている。１５は上記供給ホース接続塔３に冷却水を送る圧送ホースであり、この圧送ホース１５から送られた冷却水は供給ホース接続塔３内に形成した中継路３ａによって上記各供給ホース５を介して金型１の各冷却水路２の上流側に供給されるようになっている。上記各供給ホース５（５ａ，５ｂ，５ｃ・・・）には、それぞれ手動式の流量調節弁Ｖが取り付けられ、各流量調節弁Ｖを操作することによって各供給ホース５から金型１に供給される冷却水の送り量が調節されるようになっている。
【０００８】
上記排出ホース接続塔４には、多数の排出ホース６（６ａ，６ｂ，６ｃ・・・）が集合して接続され、これら各排出ホース６は上記金型１内の各冷却水路２（２ａ，２ｂ，２ｃ・・・）の下流側に個別に接続されている。１６は上記排出ホース接続塔４から排出された冷却水を放熱装置（図示省略）に還元する還元ホースであり、上記各排出ホース６から排出される冷却水は排出ホース接続塔４内に形成した中継路４ａを介して上記還元ホース１６に送られるようになっている。
【０００９】
上記各排出ホース６の基部側の途中にそれぞれ冷却液の流動検知器７を直列に接続する。この流動検知器７は共に略同構造からなり、本例では図２に示すようになっている。即ち、透視性に富んだアクリル樹脂により、長さ約５０ｍｍ、外径約１５ｍｍ、内径約９ｍｍとなる筒体８を形成し、該筒体８の両端部に雌ねじ８ａを形成する。
【００１０】
一方、上記筒体８内に回転自在に収容される検出羽根９を形成する。即ち、厚さ約０．５ｍｍの黄銅板により、長さ約３８ｍｍ、幅約８ｍｍの羽根主体９ａを形成するとともに、該羽根主体９ａの両端中心部に外方に向かってテーパー状に縮小する小幅な係止片９ｂ，９ｂを一体に形成し、上記羽根主体９ａをその長手方向の軸を中心として両端部の面が反対向きになる如く約１８０度捩じって検出羽根９を形成する。また、該検出羽根９の一方の面に例えば朱色のペンキを塗り、他方の面と異なった色彩にする。なお、上記検出羽根９の捩じり角度、大きさ等は排出ホース６内を流れる冷却水の流速等によって適宜設定する。
【００１１】
そして、上記検出羽根９を筒体８内に収容した後、該筒体８の両端部に左右一対のホース継手１０，１０を水密にねじ連結し、該ホース継手１０，１０のねじ連結部、つまり内端部１０ａ，１０ａに上記検出羽根９の係止片９ｂ，９ｂを遊嵌させるとともに、羽根主体９ａの左右の肩部９ｃ，９ｃを各ホース継手１０，１０の内端面に対面させ、これにより、検出羽根９を上記筒体８内に回転可能に、かつ軸方向移動不能に収容してユニット状の流動検知器７を得る。
【００１２】
次いで、上記流動検知器７を、その各ホース継手１０，１０の外端部１０ｂ，１０ｂを介して前述した各排出ホース６の基部側の途中に直列に接続する。１１は排出ホース６をホース継手１０，１０に締結する針金からなる締結具である。なお、上記流動検知器７は供給ホース５側に接続するようにしてもよい。
【００１３】
上記実施例によれば、金型１から排出される冷却水が排出ホース６内を流通すると、この冷却水の流動運動によって検出羽根９が回転され、また、排出ホース６内の冷却水が停止すると、上記検出羽根９の回転が停止されることになる。この検出羽根９の回転状態、あるいは停止状態は、透視性の筒体８を介して作業者が外部から目視によって確認することができ、これにより、冷却水の流通状態、つまり、金型１の冷却状態が正常であるか、異常であるかを容易に知ることができ、製品不良の発生を未然に防止するための対策が迅速に行えることになる。
【００１４】
また、前記検出羽根９は、長方形状の板材を捩じって形成するようにしたので、容易にかつ安価に得ることができる。また、検出羽根９の一方の面と他方の面とを異なった色彩にしたので、該検出羽根９の回転の有無、回転の速さ等が目視によって容易に確認することができる。また、各検出羽根９の回転の速さを目視で確認しながら、所定の流量調節弁Ｖを調節することによって金型１の温度を調節したり、金型１の温度むらを防止したりすることができる。
【図面の簡単な説明】
【００１５】
【図１】本発明の実施例を示す側面図である。
【図２】図１の要部拡大断面図である。
【符号の説明】
【００１６】
１    金型
２    冷却水路
３    供給ホース接続塔
３ａ  中継路
４    排出ホース接続塔
４ａ  中継路
５    供給ホース
６    排出ホース
７    流動検知器
８    筒体
８ａ  雌ねじ
９    検出羽根
９ａ  羽根主体
９ｂ  係止片
９ｃ  肩部
１０    ホース継手
１０ａ  内端部
１０ｂ  外端部
１１    締結具
１５    圧送ホース
１６    還元ホース
Ｖ    流量調節弁
【図１】
2005221278.tif 000003
【図２】
2005221278.tif 000004